(57)【要約】【課題】プリントアウトが所望の印刷物であるかどうかを確認する使い勝手を良くする。【解決手段】作像手段（１〜１２），該作像手段が形成した顕像が転写される顕像担持手段（１３）、および、該転写の後に作像手段（１〜１２）が形成した顕像を記録媒体の一方の面に、かつ、顕像担持手段（１３）に転写された顕像を該記録媒体の他方の面に、転写する手段（１７，１９）、を備える両面印刷機能がある画像形成装置において、  印刷済の記録媒体を受ける排紙面（２６）に、顕像転写時に前記顕像担持手段（１３）に対向した面を上面にして印刷済の記録媒体を排出する手段（２３〜２５）；および、  所定態様の片面印刷ときには、前記作像手段（１〜１２）で顕像を形成して前記顕像担持手段（１３）の転写面上に転写してから記録媒体に転写する印刷制御手段（１３１；図７〜１１）；を備えることを特徴とする。【選択図】  図７
2005017436.tif 000002
【特許請求の範囲】
【請求項１】
作像手段，該作像手段が形成した顕像が転写される顕像担持手段、および、該転写の後に作像手段が形成した顕像を記録媒体の一方の面に、かつ、顕像担持手段に転写された顕像を該記録媒体の他方の面に、転写する手段、を備える両面印刷機能がある画像形成装置において、
印刷済の記録媒体を受ける排紙面に、顕像転写時に前記顕像担持手段に対向した面を上面にして印刷済の記録媒体を排出する手段；および、
所定態様の片面印刷のときには、前記作像手段で顕像を形成して前記顕像担持手段の転写面上に転写してから記録媒体に転写する印刷制御手段；
を備えることを特徴とする両面印刷機能がある画像形成装置。
【請求項２】
前記印刷制御手段は、両面印刷の場合には、前記作像手段で第１顕像を形成して前記顕像担持手段の転写面上に転写し、第１顕像の後に前記作像手段で第２顕像を形成して、第２顕像を記録媒体の一方の面に、かつ、前記顕像担持手段に転写された第１顕像を記録媒体の他方の面に転写し、印刷ページ数が複数枚の片面印刷の場合には、前記作像手段で顕像を形成して前記顕像担持手段に転写することなく記録媒体に転写する；請求項１に記載の両面印刷機能がある画像形成装置。
【請求項３】
前記所定態様の片面印刷は、印刷ページ数が１枚の片面印刷を含む；請求項１又は２に記載の両面印刷機能がある画像形成装置。
【請求項４】
前記所定態様の片面印刷は、自動階調補正に用いる基準パターンの印刷を含む；請求項１，２又は３に記載の両面印刷機能がある画像形成装置。
【請求項５】
前記所定態様の片面印刷は、作像回数積算値の印刷を含む；請求項１乃至４の何れか１つに記載の両面印刷機能がある画像形成装置。
【請求項６】
前記所定態様の片面印刷は、機器内部情報の印刷を含む；請求項１乃至５の何れか１つに記載の両面印刷機能がある画像形成装置。
【発明の詳細な説明】
【０００１】
【発明の属する技術分野】
本発明は、記録媒体の表裏両面にほぼ同時に画像を形成可能な、両面印刷機能がある画像形成装置に関する。本発明は例えば、プリンタ，ファクシミリ，複写機に実施する。
【０００２】
【従来技術】
例えば、昨今の複写機、プリンター等の電子写真装置においては記録媒体の表裏両面に画像を転写する両面印刷がすでに一般的となっている。しかしながら記録媒体への転写方法としては、記録媒体の第一面（表面）に第１画像を転写し定着した後に、両面反転装置等を用いて記録媒体の表裏を反転して転写部に再給紙して、第二面（裏面）に第２画像を転写し定着する２行程給紙の画像形成プロセスを行っている。しかしながら上記方法による記録媒体への両面印刷では、両面反転装置等が必要不可欠となり、両面時のファーストプリントの排出が遅くなるのは否めないことであった。
【０００３】
【特許文献１】特開平１０−２６８６６４号公報には、感光体ドラムの周りに、Ｙ，Ｍ，Ｃ，Ｋ各色トナー像を形成する各作像機構を配設して、感光体ドラム上に、Ｙ，Ｍ，Ｃ，Ｋ各色トナー像を重ねた、用紙裏面印刷用の第１カラー顕像を形成し、これを感光体ドラムに対向し接触する転写ベルトに転写し、さらに感光体ドラム上に、用紙表面印刷用の第２カラー顕像を形成し、そして用紙を感光体ドラムと転写ベルトの間に通して、第１カラー顕像と第２カラー顕像を用紙の裏面と表面に同時に転写する両面印刷機能があるカラープリンタが記載されている。これによれば、両面反転機構はなく、１行程給紙により、両面印刷が完成する。したがって、両面印刷を早くすることが出来る。印刷済の用紙は、顕像転写時に転写ベルトに対向した面を上面にして、プリンタ上面に形成された排紙スタック面に排出される。
【０００４】
【特許文献２】特開２０００−１０３８１号公報には、Ｙ，Ｍ，Ｃ，Ｋ各色トナー像を形成する各現像装置をリボルバーに装備して、感光体ドラム上に各色トナー像を順次に重ね形成して第１カラー顕像とし、これを感光体ドラムに対向し接触する一次転写ベルトに転写し、そして二次転写ベルトに転写し、さらに感光体ドラム上に、用紙表面印刷用の第２カラー顕像を形成して一次転写ベルトに転写し、そして用紙を一次転写ベルトと二次転写ベルトの間に通して、第１カラー顕像と第２カラー顕像を用紙の裏面と表面に同時に転写する両面印刷機能があるカラープリンタが記載されている。これによっても、両面反転機構はなく、１行程給紙により、両面印刷が完成する。印刷済の用紙は、顕像転写時に転写ベルトに対向した面を下面にして、機外に排出される。
【０００５】
【特許文献３】特開２００２−１１６６７９号公報の図１１には、Ｙ，Ｍ，Ｃ，Ｋ各色トナー像を形成する各現像装置をリボルバーに装備して、感光体ドラム上に各色トナー像を順次に重ね形成して第１カラー顕像とし、これを感光体ドラムに対向し接触する転写ベルトに転写し、さらに感光体ドラム上に、用紙表面印刷用の第２カラー顕像を形成し、そして用紙を感光体ドラムと転写ベルトの間に通して、第１カラー顕像と第２カラー顕像を用紙の裏面と表面に同時に転写する両面印刷機能があるカラープリンタが記載されている。これによっても、両面反転機構はなく、１行程給紙により、両面印刷が完成する。印刷済の用紙は、顕像転写時に転写ベルトに対向した面を上面にして、プリンタ上面に形成された排紙スタック面に排出される。
【０００６】
【発明が解決しようとする課題】
作像手段が形成した第１顕像を顕像担持手段に転写し、作像手段が形成した第２顕像を用紙の一方の面に、かつ、顕像担持手段に転写した第１顕像を用紙の他方の面に転写する両面印刷機能がある画像形成装置でも、片面印刷に使用される機会が極めて多い。そして片面印刷をする場合、顕像担持手段に顕像を転写することなく、作像手段が形成した顕像を用紙に転写することにより、作像プロセスが簡略で第１枚の印刷済用紙の排出が早く、また、顕像担持手段を使用しないためそのクリーニングの負担が少なく、顕像担持手段の寿命を長く維持できる。印刷済用紙を受ける排紙面に、顕像転写時に記顕像担持手段に対向した面を上面（作像手段に対向した面を下面）にして印刷済用紙を排出する排紙経路を採用することにより、複数頁の片面印刷の場合、頁順に印刷済用紙を排紙スタック面に載せて重ねていくことにより、ページ順に重なった印刷済用紙束が得られる。すなわち、印刷済用紙を受ける排紙スタック面に、顕像転写時に記顕像担持手段に対向した面を上面にして印刷済用紙を排出する排紙経路を採用するのが好ましい。
【０００７】
しかしそのようにすると、片面印刷の場合、排紙スタック面に排出される印刷済用紙は、裏の白紙が上面となり、該用紙を裏返さないと表面の画像を認識できない。排出ページ順を問わない印刷物は、印刷面を上面にして排出するほうがすぐに所望の印刷物であるかどうかを確認することが出来るため使い勝手が良い。
【０００８】
本発明は、所望の印刷物であるかどうかを確認する使い勝手を良くすることを目的とする。
【０００９】
【課題を解決するための手段】
（１）作像手段（１〜１２），該作像手段が形成した顕像が転写される顕像担持手段（１３）、および、該転写の後に作像手段（１〜１２）が形成した顕像を記録媒体の一方の面に、かつ、顕像担持手段（１３）に転写された顕像を該記録媒体の他方の面に、転写する手段（１７，１９）、を備える両面印刷機能がある画像形成装置において、
印刷済の記録媒体を受ける排紙面（２６）に、顕像転写時に前記顕像担持手段（１３）に対向した面を上面にして印刷済の記録媒体を排出する手段（２３〜２５）；および、
所定態様の片面印刷のときには、前記作像手段（１〜１２）で顕像を形成して前記顕像担持手段（１３）の転写面上に転写してから記録媒体に転写する印刷制御手段（１３１；図７〜１１）；
を備えることを特徴とする両面印刷機能がある画像形成装置。
【００１０】
なお、理解を容易にするためにカッコ内には、図面に示し後述する実施例の対応要素又は対応事項の記号を、例示として参考までに付記した。以下も同様である。
【００１１】
これによれば、所定態様の片面印刷ときには、印刷済の記録媒体が、画像面を上にして排紙面（２６）に排出されるので、出力された印刷物の内容を記録媒体を裏返すことなくそのまますぐに確認できるため、利便性が高い。
【００１２】
【発明の実施の形態】
（２）前記印刷制御手段（１３１；図７〜１１）は、両面印刷の場合には、前記作像手段（１〜１２）で第１顕像を形成して前記顕像担持手段（１３）の転写面上に転写し、第１顕像の後に前記作像手段（１〜１２）で第２顕像を形成して、第２顕像を記録媒体の一方の面に、かつ、前記顕像担持手段（１３）に転写された第１顕像を記録媒体の他方の面に転写し、印刷ページ数が複数枚の片面印刷の場合には、前記作像手段（１〜１２）で顕像を形成して前記顕像担持手段（１３）に転写することなく記録媒体に転写する；上記（１）に記載の両面印刷機能がある画像形成装置。
【００１３】
これによれば、両面印刷の場合ならびに印刷ページ数が複数枚の片面印刷の場合のいずれでも、印刷済の記録媒体が、排紙面（２６）上に頁順に重ねて排出され、ページ順に重なった印刷済用紙束が得られる。上用紙から下用紙にページ昇順となる頁揃えをしなくても良いので、印刷ページ数が複数枚の印刷の利便性が高い。
【００１４】
（３）前記所定態様の片面印刷は、印刷ページ数が１枚の片面印刷を含む；上記（１）又は（２）に記載の両面印刷機能がある画像形成装置。これによれば、１頁だけの片面印刷のときには、印刷画像面を上にして記録媒体が排紙面（２６）上に排出されるので、出力された印刷物の内容を記録媒体を裏返すことなくそのまますぐに確認できるため、利便性が高い。
【００１５】
（４）前記所定態様の片面印刷は、自動階調補正に用いる基準パターン（ＡｃＰ）の印刷を含む；上記（１），（２）又は（３）に記載の両面印刷機能がある画像形成装置。これによれば、出力された基準パターン記録媒体を、記録媒体を裏返すことなくそのまますぐに確認できるため、スキャナへのセットがし易くなる。
【００１６】
（５）前記所定態様の片面印刷は、作像回数積算値（ＣａＰ）の印刷を含む；上記（１）乃至（４）の何れか１つに記載の両面印刷機能がある画像形成装置。これによれば、作像回数積算値（ＣａＰ）記録媒体の印刷内容を、記録媒体を裏返すことなくそのまますぐに確認できるため、メンテナンスサービス店などへのＦＡＸ等での送信がし易くなる。
【００１７】
（６）前記所定態様の片面印刷は、機器内部情報（ＳａＰ）の印刷を含む；上記（１）乃至（５）の何れか１つに記載の両面印刷機能がある画像形成装置。これによれば、出力された機器内部情報（ＳａＰ）記録媒体の印刷内容を、記録媒体を裏返すことなくそのまますぐに確認できるため、機器，消耗品などのＩＤや連絡先電話番号等の確認がすぐに行える。
【００１８】
（７）両面読取機能がある原稿読取手段（２１０，２３０）；
読取った画像を表す画像データを蓄積する画像蓄積手段（ＭＥＭ，ＨＤＤ，ＡＣＰ）；
該画像蓄積手段の画像データが表わす画像を表現する顕像を形成する作像手段（１〜１２）；
該作像手段が形成した顕像が転写される顕像担持手段（１３）；
該転写の後に作像手段が形成した顕像を記録媒体の一方の面に、かつ、顕像担持手段に転写された顕像を該記録媒体の他方の面に、転写する手段（１７，１９）；
印刷済の記録媒体を受ける排紙面（２６）に、顕像転写時に前記顕像担持手段（１３）に対向した面を上面にして印刷済の記録媒体を排出する手段（２３〜２５）；および、
前記画像蓄積手段（ＭＥＭ，ＨＤＤ，ＡＣＰ）に蓄積した画像データに基いて、両面印刷の場合には、前記作像手段（１〜１２）で第１顕像を形成して前記顕像担持手段（１３）の転写面上に転写し、第１顕像の後に前記作像手段（１〜１２）で第２顕像を形成して、第２顕像を記録媒体の一方の面に、かつ、前記顕像担持手段（１３）に転写された第１顕像を記録媒体の他方の面に転写し、印刷ページ数が複数枚の片面印刷の場合には、前記作像手段（１〜１２）で顕像を形成して前記顕像担持手段（１３）に転写することなく記録媒体に転写し、所定態様の片面印刷のときには、前記作像手段（１〜１２）で顕像を形成して前記顕像担持手段（１３）の転写面上に転写してから記録媒体に転写する印刷制御手段（１３１；図７〜１１）；
を備えることを特徴とする両面印刷機能がある画像形成装置。
【００１９】
これによれば、両面原稿の両面あるいは片面原稿の片面の画像を読取って（ＭＥＭ，ＨＤＤ，ＡＣＰ）に蓄積し、両面印刷又は片面印刷をすることが出来る。また、片面原稿でも、両面印刷の複写にすることが出来る。また、パソコン又は他の画像処理装置から与えられる画像を一方面に印刷し他方面には片面原稿の画像をコピーした両面印刷も可能である。
【００２０】
（８）前記原稿読取手段（２１０，２３０）が発生する読取画像データに読取補正を加え、読取補正を加えた画像データに前記作像手段（１〜１２）に適用する出力補正を加える、画像データ処理手段（ＩＰＰ）；を更に備え、前記画像蓄積手段（ＭＥＭ，ＨＤＤ，ＡＣＰ）は、補正した画像データを蓄積する；上記（７）に記載の、両面印刷機能がある画像形成装置。これによれば、高品質の両面又は片面印刷のコピーを得ることが出来る。
【００２１】
（９）作像手段（１〜１２）は、複数の異色顕像を重ねたカラー顕像を形成するカラー作像手段（ａ〜ｄ）である；上記（１）乃至（８）の何れか１つに記載の、両面印刷機能がある画像形成装置。
【００２２】
これによれば、カラー両面，片面印刷又はコピーにおいて、上記（１）又は（８）に記載の作用効果を同様に得ることが出来る。
【００２３】
（１０）前記作像手段（１〜１２）は、タンデム配列された複数の作像ユニット（ａ〜ｄ）および各作像ユニットが形成した顕像が順次に重ね転写される第１転写媒体（７）を含む；上記（１）乃至（９）の何れか１つに記載の画像形成装置。これによれば、タンデム配列された複数の作像ユニット（ａ〜ｄ）が作成した顕像を第１転写媒体（７）に重ね転写するので、カラー顕像の作像速度を速くすることが出来る。これに加えて、両面印刷の速度も速くすることが出来るので、カラー画像印刷あるいはコピーの高速化が可能である。
【００２４】
本発明の他の目的および特徴は、図面を参照した以下の実施例の説明より明らかになろう。
【００２５】
【実施例】
図１に、本発明の１実施例の複合機能フルカラーデジタル複写機の外観を示す。このフルカラー複写機は、大略で、自動原稿送り装置（ＡＤＦ）２３０と、操作ボード２２０と、カラースキャナ２１０と、カラープリンタ１００の各ユニットで構成されている。なお、操作ボード２２０と、ＡＤＦ２３０付きのカラースキャナ２１０は、プリンタ１００から分離可能なユニットであり、カラースキャナ２１０は、動力機器ドライバやセンサ入力およびコントローラを有する制御ボードを有して、プリンタ１００の機内の制御ボードの画像データ処理装置ＡＣＰ（図４）と直接または間接に通信を行いタイミング制御されて原稿画像の読み取りを行う。
【００２６】
画像データ処理装置ＡＣＰ（図４）には、パソコンＰＣが接続したＬＡＮ（Ｌｏｃａｌ  Ａｒｅａ  Ｎｅｔｗｏｒｋ）が接続されており、ファクシミリコントロールユニットＦＣＵ（図４）には、電話回線ＰＮ（ファクシミリ通信回線）に接続された交換器ＰＢＸが接続されている。カラープリンタ１００のプリント済の用紙は、排紙スタック２６（図２）に排出される。
【００２７】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００２８】
回転可能に支持され矢印方向に回転する第１の像担持体である感光体１の外周部には除電装置５、クリーニング装置４、帯電装置２、現像装置３が配備されている。帯電装置２と現像装置３の間には、露光装置６から発せられる光情報の入るスペースが確保されている。感光体１は４個（ａ，ｂ，ｃ，ｄ）あるが、それぞれ周囲に設けられる画像形成用の部品構成は同じである。現像装置３が扱う色材（トナー）の色が異なる。
【００２９】
感光体１は直径が３０から１００ｍｍ程度のアルミニュム円筒表面に、光導電性物質である有機半導体の層を設けた感光体である。その一部が、第２の像担持体である第１転写ベルト７に接している。ベルト状の感光体１も採用可能である。
【００３０】
第１転写ベルト７は矢印方向に移動可能に、回転するローラ８，９および１０間に支持、張架されていて、裏側（ループの内側）には、第１転写手段１１が感光体１の近傍に配備されている。ベルトループの外側に、第１転写ベルト用のクリーニング装置１２が配備されている。第１転写ベルト７より転写した後にその表面に残留する不要のトナーを拭い去る。
【００３１】
露光装置６は公知のレーザ方式で、フルカラー画像形成に対応した光情報を、一様に帯電された感光体表面に潜像として照射する。ＬＥＤアレイと結像手段から成る露光装置も採用できる。第１転写ベルト７は、基体の厚みが５０μｍ乃至６００μｍの樹脂フィルムあるいはゴムを基体にしたベルトで、感光体１からトナーを転写可能とする抵抗値を備える。
【００３２】
図２上で、第１転写ベルト７の右方には、第３の像担持体である第２転写ベルト１３が配備されている。第２転写ベルト１３は矢印方向に移動可能に、回転ローラ１４，１５および１６間に支持、張架されていて、裏側（ループの内側）には、第２転写手段１７が配備されている。ベルトループの外側に、第２転写ベルト用のクリーニング装置１８、チャージャ１９、などが配備されている。クリーニング装置１８は、用紙にトナーを転写した後、残留する不要のトナーを拭い去る。
【００３３】
第２転写手段１７，ローラ１６、第１転写ベルト７を支持するローラ８により、第１転写ベルト７と第２転写ベルト１３は接触し、あらかじめ定められた転写ニップを形成する。第２転写ベルト１３は、基体の厚みが５０μｍ乃至６００μｍの樹脂フィルムあるいはゴムを基体にしたベルトで、第１転写ベルト７からトナーを転写可能とする抵抗値を備えるベルトである。
【００３４】
記録媒体である用紙２０は、図の下方の給紙カセット２１，２２に収納されており、最上の用紙が給紙ローラ３１又は３２で１枚づつ、複数の用紙ガイドを経てレジストローラ３３に搬送される。第２転写ベルト１３の上方に、定着器２３、排紙ガイド２４、排紙ローラ２５、排紙スタック２６が配備されている。
【００３５】
第１転写ベルト７の上方で、排紙スタック２６の下方には、補給用のトナーが収納できる収納部２７が設けてある。トナーの色はマゼンタ、シアン、イエロー、ブラックの四色があり、カートリッジ２８の形態にしてある。粉体ポンプ等により対応する色の現像装置３に適宜補給される。
【００３６】
本体の一部のフレーム２９は、開閉支軸３０を中心として、回動開放が可能な構造にしてあるので、記録媒体の搬送路は大きく開き、ジャムした記録媒体（用紙）の処理を容易にしている。
【００３７】
ここで両面印刷のときの各部の動作を説明する。まず感光体１による、作像が行われる。すなわち、露光装置６の作動により、不図示のＬＤ光源からの光は、不図示の光学部品を経て、帯電装置２で一様に帯電された感光体１のうち、作像ユニットａの感光体上に至り、書き込み情報（色に応じた情報）に対応した潜像を形成する。感光体１上の潜像は現像装置３で現像され、トナーによる顕像が感光体１の表面に形成され保持される。このトナー像は、第１転写手段１１により、感光体１と同期して移動する第１転写ベルト７の表面に転写される。感光体１の表面は、残存するトナーがクリーニング装置４でクリーニングされ、除電装置５で除電され次の作像サイクルに備える。
【００３８】
第１転写ベルト７は、表面に転写されたトナー像を坦持し、矢印の方向に移動する。作像ユニットｂの感光体１に、別の色に対応する潜像が書き込まれ、対応する色のトナーで現像され顕像となる。この像は、すでに第１転写ベルト７に乗っている前の色の顕像に重ねられ、最終的に４色重ねられる。なお、単色黒のみを形成する場合もある。
【００３９】
このとき同期して第２転写ベルト１３は矢印方向に移動していて、第２転写手段１７の作用で、第２転写ベルト１３の表面に第１転写ベルト７表面に作られた画像が転写される。いわゆるタンデム形式である４個の作像ユニットａ〜ｄの各感光体１上で画像が形成されながら、第１，第２転写ベルト７，１３が移動し、作像が進められるので、その時間が短縮できる。
【００４０】
第１転写ベルト７が、所定のところまで移動すると、用紙の別の面に作成されるべきトナー画像が、前述したような工程で再度感光体１により作像され、給紙が開始される。給紙ローラ３１又は３２が反時計方向に回転すると、給紙カセット２１又は２２内の最上部にある用紙２０が引き出され、レジストローラ３３に搬送される。
【００４１】
レジストローラ３３を経て、第１転写ベルト７と第２転写ベルト１３の間に送られる用紙の片側の面に、第１転写ベルト７表面のトナー像が、第２転写手段１７により転写される。更に記録媒体は上方に搬送され、第２転写ベルト１３表面のトナー像が、チャージャ１９により用紙のもう一方の面に転写される。転写に際して、用紙は画像の位置が正規のものとなるよう、タイミングがとられて搬送される。
【００４２】
本実施例では、感光体１に作像されるトナーの極性はマイナスである。第１転写手段１１にプラスの電荷を与えることで、感光体１に作像されたトナーは第１転写ベルト７に転写される。第２転写手段１７にプラスの電荷を与えることで、第１転写ベルト７に転写されたトナーは、第２転写ベルト１３に転写される。用紙を第１，第２転写ベルト７，１３間に送り込み、第２転写手段１７にプラスの電荷を与えることで、第１転写ベルト７に転写されたトナーが用紙の片側の面に転写され、また、第２転写ベルト１３に転写されたトナーは、転写チャージャ１９からプラス極性の電荷与えることで、第２転写ベルト１３表面のマイナス極性のトナーは吸引されて、用紙の他の面に転写される。
【００４３】
上記のステップで両面にトナー像が転写された用紙は、定着器２３に送られ、用紙上のトナー像（両面）が一度に溶融、定着され、ガイド２４を経て排紙ローラ２５により本体フレーム上部の排紙スタック２６に排出される。
【００４４】
図２のように、排紙部２４〜２６を構成した場合、両面画像のうち後から用紙に転写される面（頁）、すなわち第１転写ベルト７から用紙に直接転写される面が下面となって、排紙スタック２６に載置されるから、頁揃えをしておくには２頁目の画像を先に作成し、第２転写ベルト１３にそのトナー像を保持し、１頁目の画像を第１転写ベルト７から用紙に直接転写する。
【００４５】
第１転写ベルト７から直接に用紙に転写される画像は、感光体表面で正像にし、第２転写ベルト１３から用紙に転写されるトナー像は、感光体表面で逆像（鏡像）になるよう露光される。このような頁揃えのための作像順、ならびに、また正、逆像（鏡像）に切り換える画像処理も、ＩＭＡＣによるメモリＭＥＭに対する画像データの読書き制御によって行っている。
【００４６】
第２転写ベルト１３から用紙に転写した後、ブラシローラ，回収ローラ，ブレード等を備えたクリーニング装置１８が、第２転写ベルト１３に残留する不要のトナーや紙粉を除去する。
【００４７】
図２ではクリーニング装置１８のブラシローラが第２転写ベルト１３の表面から離れた状態にある。支点１８ａを中心として揺動可能で、第２転写ベルト１３の表面に接離可能な構造になっている。用紙に転写する以前で、第２転写ベルト１３がトナー像を担持しているとき離し、クリーニングが必要のとき、図で反時計方向に揺動し接触させる。除去された不要トナーはトナー収納部３４に集められる。
【００４８】
以上が、「両面転写モード」を設定した両面印刷モードの作像プロセスである。両面印刷の場合には、常にこの作像プロセスで印刷が行われる。
【００４９】
片面印刷の場合には、「第２転写ベルト１３による片面転写モード」と「第１転写ベルト７による片面転写モード」の２つがあり、前者の第２転写ベルト１３を用いる片面転写モードを設定した場合には、第１転写ベルト７に４色重ね（又は単色黒）で形成された顕像が第２転写ベルト１３に転写され、そして用紙の片面に転写される。用紙の他面には画像転写はない。この場合、排紙スタック２６に排出された印刷済用紙の上面に印刷画面がある。
【００５０】
後者の第１転写ベルト７を用いる片面転写モードを設定した場合には、第１転写ベルト７に４色重ね（又は単色黒）で形成された顕像が、第２転写ベルト１３には転写されずに、用紙の片面に転写される。用紙の他面には画像転写はない。この場合は、排紙スタック２６に排出された印刷済用紙の下面に印刷画面がある。
【００５１】
図３に、スキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００５２】
スキャナ２１０には、自動原稿供給装置ＡＤＦ２３０が装着されている。ＡＤＦ２３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。原稿の表面の画像は、読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。また、原稿の裏面の画像は、光源および撮像素子を内蔵する撮像装置２０８で読取られ光電変換される。すなわちＲＧＢ各色画像信号に変換される。
【００５３】
読み取りガラス２４０と原稿始端の位置決め用のスケール２５１との間には、白基準板２３９、ならびに、第１キャリッジを検出する基点センサ２４９がある。白基準板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００５４】
図４に、図１に示す複写機の画像処理系統のシステム構成を示す。このシステムでは、読取ユニット２１１と画像データ出力Ｉ／Ｆ（Ｉｎｔｅｒｆａｃｅ：インターフェイス）２１２でなるカラー原稿スキャナ２１０が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ（Ｉｍａｇｅ  Ｐｒｏｃｅｓｓｉｎｇ  Ｐｒｏｃｅｓｓｏｒ；以下では単にＩＰＰと記述）から、書込みＩ／Ｆ１３４ＹＭＣＫ記録画像データを受けて、作像ユニット１３５でプリントアウトする。作像ユニット１３５は、図２に示すものである。
【００５５】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），システムコントローラ３１ａ，ＲＡＭ３４，不揮発メモリ３５，フォントＲＯＭ３６，ＣＤＩＣ，ＩＰＰ等、を備える。パラレルバスＰｂには、ファクシミリ制御ユニットＦＣＵ（以下単にＦＣＵと記述）を接続している。操作ボード２２０はシステムコントローラ３１ａに接続している。
【００５６】
カラー原稿スキャナ２１０の、原稿を光学的に読み取る読取ユニット２１１のＣＣＤ２０７および撮像装置２０８の撮像素子のそれぞれが発生するＲＧＢ画像信号は、センサボードユニットＳＢＵ上の信号処理しかつＲＧＢ画像データに変換しかつシェーディング補正して、出力Ｉ／Ｆ２１２を介してＣＤＩＣに送出する。
【００５７】
ＣＤＩＣは、画像データに関し、出力Ｉ／Ｆ２１２，パラレルバスＰｂ，ＩＰＰ間のデータ転送，プロセスコントローラ１３１とＡＣＰの全体制御を司るシステムコントローラ３１ａとの間の通信をおこなう。また、ＲＡＭ１３２はプロセスコントローラ１３１のワークエリアとして使用され、不揮発メモリ１３３はプロセスコントローラ１３１の動作プログラム等を記憶している。
【００５８】
半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。
【００５９】
画像メモリアクセス制御ＩＭＡＣ（以下では単にＩＭＡＣと記述）は、ＭＥＭに対する画像データの書き込み／読み出しを制御する。システムコントローラ３１ａは、パラレルバスＰｂに接続される各構成部の動作を制御する。また、ＲＡＭ３４はシステムコントローラ３１ａのワークエリアとして使用され、不揮発メモリ３５はシステムコントローラ３１ａの動作プログラム等を記憶している。
【００６０】
操作ボード２２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００６１】
スキャナ２１０およびＡＤＦのＣＣＤ２０７および撮像装置２０８で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００６２】
ＩＭＡＣは、システムコントローラ３１ａの制御に基づいて、画像データとＭＥＭ，ＨＤＤのアクセス制御，ＬＡＮ上に接続した図示しないパソコンＰＣ（以下では単にＰＣと表記）のプリント用データの展開，ＭＥＭ，ＨＤＤの有効活用のための画像データの圧縮／伸張をおこなう。
【００６３】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙（用紙）上に再生画像を形成する。
【００６４】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００６５】
複数ジョブ、たとえば、コピー機能，ファクシミリ送受信機能，プリンタ出力機能が並行に動作する状況において、読取ユニット２１１，作像ユニット１３５およびパラレルバスＰｂの使用権のジョブへの割り振りは、システムコントローラ３１ａおよびプロセスコントローラ１３１において制御する。プロセスコントローラ１３１は画像データの流れを制御し、システムコントローラ３１ａはシステム全体を制御し、各リソースの起動を管理する。また、デジタル複合機の機能選択は、操作ボード２２０においておこなわれ、操作ボード２２０の選択入力によって、画像読取機能，画像データ登録機能，コピー機能，プリント機能，ファクシミリ機能等の処理内容を設定する。
【００６６】
システムコントローラ３１ａとプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３１間の通信を行う。
【００６７】
各種バスインターフェース、たとえばパラレルバスＩ／Ｆ  ３７、シリアルバスＩ／Ｆ  ３９、ローカルバスＩ／Ｆ  ３３ＡＡおよびネットワークＩ／Ｆ  ３８は、ＩＭＡＣに接続されている。システムコントローラ３１ａは、ＡＣＰ全体の中での独立性を保つために、複数種類のバス経由で関連ユニットと接続する。
【００６８】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。
【００６９】
この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【００７０】
一方、ＡＣＰのシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。
【００７１】
汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【００７２】
ＰＣからのプリント出力要求データはシステムコントローラ３１ａにより画像データに展開される。その展開先はＭＥＭ内のエリアである。展開に必要なフォントデータは、ローカルバスＩ／Ｆ  ３３ＡＡおよびローカルバスＲｂ経由でフォントＲＯＭ３６を参照することにより得られる。ローカルバスＲｂは、このコントローラ１を不揮発メモリ３５およびＲＡＭ３４と接続する。
【００７３】
シリアルバスＳｂに関しては、ＰＣとの接続のための外部シリアルポート３２ａ以外に、ＡＣＰの操作部である操作ボード２２０との転送のためのインターフェースもある。これはプリント展開データではなく、ＩＭＡＣ経由でシステムコントローラ３１ａと通信し、処理手順の受け付け、システム状態の表示等をおこなう。
【００７４】
システムコントローラ３１ａとＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００７５】
図５に示す様に、操作ボード２２０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「ＩＤ設定」機能，「著作権登録／設定」機能および「使用実績の出力」機能等を指定するための選択ボタンが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００７６】
液晶タッチパネル７９には、各種機能キー及び画像形成装置の状態を示すメッセージなどが表示される。液晶ディスプレイ７９には、「コピー」機能，「スキャナ」機能，「プリント」機能，「ファクシミリ」機能，「蓄積」機能，「編集」機能，「登録」機能およびその他の機能の選択用および実行中を表わす機能選択キー８０ｇが表示される。機能選択キー８０ｇで指定された機能に定まった入出力画面が表示され、例えば「複写」機能が指定されているときには、図５に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。初期設定キー８０ｄが押されたときには、液晶タッチパネル７９の表示は図１２に示すものに切り換わる。
【００７７】
図６に、システムコントローラ３１ａ（のＣＰＵ）およびプロセスコントローラ１３１による画像形成のシステム制御動作を示す。自身に動作電圧が印加されるとコントローラ３１ａは、出力ポ−トのクリア，内部ＲＡＭの初期化等を行ない（２）、操作ボード２２０の液晶タッチパネル７９に「お待ち下さい！」を表示してプリントキ−の赤ランプを点灯する（ステップ１＆２）。以下、カッコ内には、ステップという語を省略して、ステップＮｏ．数字のみを記す。
【００７８】
次にコントローラ３１ａは、装置各部の状態を読み取り、異常検出を行なう（４）。プリンタ１００の状態読取は、プロセスコントローラ１３１（のＣＰＵ）に指示する。プロセスコントローラ１３１は、電源オン直後に定着温度制御を開始（３）しており、状態読取の結果をコントローラ３１ａに報知する。システムコントローラ３１ａは、各部状態読取（４）で、装置に異常又はメンテ要（用紙補充要，ユニット交換用，給紙カセット切り換え等々）があると、異常等の表示或いはメンテ要の内容をセットして、操作ボード２２０の液晶タッチパネル７９に表示する（１６，１７）。
【００７９】
以下においては、異常およびメンテ要の事項を、一括して異常等と表現する。異常等が修復されて準備ル−プを抜けると異常等の表示をリセットする（６）。異常等が無かったときには、標準モ−ドにおけるコピ−処理の初期条件として、コピ−枚数：１，自動濃度，自動用紙選択，等倍を設定する（７）。そして液晶タッチパネル７９に「コピ−できます」を表示し、スタ−トキ−の赤ランプ表示に換えて緑ランプを点灯して、複写，プリントレディをセットする（８）。そして、ホストＰＣからの印刷コマンドおよび操作ボード２２０の入力を待つ（９，１０）。
【００８０】
コピー条件あるいは印刷条件の入力があるとそれをプロセスコントローラ１３１に報知する（１２）。コピースタ−トキ−の押下を検知するとシステムコントローラ３１ａは、「コピ−出力処理」（１４）に進む（１２−１４）。「コピ−出力処理」（１４）では、原稿コピ−スタートをプロセスコントローラ１３１に指示し、プロセスコントローラ１３１が指定されたコピー条件のコピープロセス制御を行う。原稿コピ−が終了すると、システムコントローラ３１ａは、ステップ４〜１３のチェックを行なう。ホストＰＣから印刷コマンドを受けるとコントローラ３１ａは、「Ｐ出力処理」（プリンタ出力処理）（１５）に進む（１０−１５）。「Ｐ出力処理」（１５）では、印刷スタートをプロセスコントローラ１３１に指示し、プロセスコントローラ１３１が指定された印刷条件の印刷プロセス制御を行う。印刷が終了すると、コントローラ３１ａは、ステップ４のチェックを行なう。
【００８１】
プロセスコントローラ１３１は、自身に動作電圧が印加されると出力ポ−トのクリア，ＲＡＭ１３２の初期化等を行ない、プリンタ内の「各部状態読み取り」を行い、正常であると定着温度制御を開始し（３）、状態をシステムコントローラ３１ａに報知する。
【００８２】
プロセスコントローラ１３１は、システムコントローラ３１ａからコピー条件やプリント条件が与えられると、それをＲＡＭ１３２にセーブし、プリンタ内の機構あるいは回路を、与えられた条件に設定する。プリンタ内に異常またはメンテ要（異常等）が有るとそれをシステムコントローラ３１ａに報知して、操作ボード２２０に表示する。異常等が無いと、あるいは異常等がなくなると、レディをシステムコントローラ３１ａに報知して異常等の表示は消去し、システムコントローラ３１ａから、印刷命令（コピースタート／プリントスタート）が到来するとプロセスコントローラ１３１は、指定された条件のコピープロセス又はプリントプロセスの制御を実行し、プリンタ内の「各部状態読み取り」を行う。
【００８３】
図７に、プロセスコントローラ１３１の、「コピー出力処理」（１４）における複写制御の概要を示す。「コピー出力処理」（１４）に進むとプロセスコントローラ１３１は、プリンタ１００のメインモータを起動して（２１）、プリンタ１００内各部を画像形成を開始できる適正状態とするための前処理を開始する（２２）。そして、スキャナセンサ読込（２３）を行う。
【００８４】
スキャナセンサ読込（２３）ではプロセスコントローラ１３１は原稿スキャナの状態読取を行って、原稿スキャナ２１０およびＡＤＦ２３０の装着があって、圧板閉（圧板相当のＡＤＦが閉じている）で、ＡＤＦ２３０の原稿台２４１の原稿を原稿センサが検出している状態であると、ＡＤＦによる原稿給送モードの複写モードであるＡＤＦ読取モードを設定し、原稿センサが原稿を検出していないと、コンタクトガラス板３２上の原稿をスキャンする手差し原稿走査モードの複写モードである手差し原稿読取モードを設定する（２４）。そして原稿スキャナ２１０に原稿読取を指示する（２５）。原稿スキャナ２１０は原稿読取を開始して、画像データを発生してＩＰＰに出力する。ＩＰＰは読取った画像データに読取補正を加えてメモリＭＥＭに書込む。原稿スキャナ２１０は１回の原稿読取を終了するとき、読取った原稿のサイズ情報を生成してプロセスコントローラ１３１に転送する。ＡＤＦ２３０による原稿搬送と読取の場合で、両面読取指定がある場合には、撮像装置２０８による読取データもＩＰＰに出力する。
【００８５】
原稿読取を指示した後プロセスコントローラ１３１は、用紙転写モードを設定する（２６）。ここでは、原稿が一枚で片面原稿であると、「第２転写ベルト１３による片面転写モード」を設定し、原稿が複数枚（原稿読取２５がＡＤＦ給紙で第２枚目原稿ありを検知）で片面原稿であると、「第１転写ベルト７による片面転写モード」を設定し、原稿が両面原稿であると、「両面転写モード」を設定する。
【００８６】
そして、給紙カセット２１，２２の用紙サイズ（これはカセットに割付けられている）と原稿スキャナ２１０が送って来た原稿のサイズ情報に基いて給紙カセットおよび必要に応じて複写倍率を定めて、上記ステップ２６で定めた「第２転写ベルト１３による片面転写モード」，「第１転写ベルト７による片面転写モード」又は「両面転写モード」で、１枚の用紙に作像する１コピープロセスを開始する（２７）。なお、このコピープロセスでは、メモリＭＥＭ又はＨＤＤに書込んでいる画像データをＩＰＰに読み出して、ＩＰＰでプリンタ１００の作像特性に適合する作像出力補正を施してＩＰＰからプリンタ１００に出力する。
【００８７】
次にプロセスコントローラ１３１は、設定枚数（キー入力によるコピー値数）の作像を完了していないと、更に同じ条件の１枚の用紙に作像する１コピープロセスを開始する（２８−２７）。
【００８８】
設定枚数の作像を完了している時には、ステップ２４で設定した複写読取モードを参照して（２８−２９）、それがＡＤＦ読取モードで次原稿があると、「原稿読取」に進む（３０，２５）が、原稿が無いと、そこで複写作業を終了し、クリーニングを主体とする後処理に進む（３０−３１）。ＡＤＦ読取モードではなく、コンタクトガラス板３２上の手差し原稿読取モードであった場合には、この時点で指定の複写作業が終っているので、後処理に進む（２９−３１）。
【００８９】
上述の作像制御により、原稿が一枚で片面原稿であると、「第２転写ベルト１３による片面転写モード」が設定されるので、原稿の画像が作像ユニットａ，ｂ，ｃ，ｄ（Ｋ単色記録の場合はＫ作像ユニットのみ；以下も同様）に書き込まれ、現像されたあとに第１転写ベルト７に転写され、次いでそのまま第２転写ベルト１３に転写され、第２転写ベルト１３が１周してから、レジストローラ３３から送られてくる用紙に転写した後に、排紙スタック２６上に排出される。排出した用紙は、原稿画像（片面）を転写した用紙面を上面とした上向き姿勢であるので、複写画像をただちに視認できる。
【００９０】
原稿が複数頁で片面印刷であると、「第１転写ベルト７による片面転写モード」が設定されるので、原稿の画像が作像ユニットａ，ｂ，ｃ，ｄに書き込まれ、現像されたあとに第１転写ベルト７に転写され、次いでレジストローラ３３から送られてくる用紙に転写した後に、排紙スタック２６上に排出される。排出した用紙は、原稿画像（片面）を転写した用紙面を下面とした下向き姿勢であるので、複写画像をただちに視認できないが、原稿の頁順に重なっており、頁揃えが不要である。第２転写ベルト１３に転写しそして第２転写ベルト１３から用紙に転写する工程がないので、ファーストコピーの排出が早い。第２転写ベルト１３の寿命が長い。
【００９１】
原稿が両面原稿であると、原稿の頁数が１か２以上かに拘らず、第１転写ベルト７および第２転写ベルト１３から、用紙の表裏面のそれぞれに転写が行われる。
【００９２】
図８に、プロセスコントローラ１３１の、「Ｐ出力処理」（１５）におけるプリント制御の概要を示す。プリンタ出力（Ｐ出力）の場合は、プリントスタート指示があるまでに、パソコンＰＣあるいはＦＣＵから入力された出力情報が、プリントアウト用の画像データ（イメージデータ）に展開されてメモリＭＥＭ又はＨＤＤに格納され、あるいはすでに原稿スキャナ２１０，ＡＤＦ２３０による原稿読取でメモリＭＥＭ又はＨＤＤに画像データが格納されている。また、ＨＤＤに蓄積している書画情報の読み出し指示に従って、ＨＤＤから読出してメモリＭＥＭに展開している場合もある。いずれにしても、プリントアウトスタート信号が発生したとき、原稿スキャナ，ＡＤＦ２３０による原稿読取は不要である。
【００９３】
したがって図８に示す「Ｐ出力処理」（１５）は、前述の「コピー出力処理」（１４）の中の、原稿読取に関係する処理を省略したものになっている。「Ｐ出力処理」（１５）に進むとプロセスコントローラ１３１は、プリンタ１００のメインモータを起動して（４１）、プリンタ１００内各部を画像形成を開始できる適正状態とするための前処理を開始する（４２）。そして、すでに与えられているプリントコマンド（印刷指示）の内容に基いて、プロセスコントローラ１３１は用紙転写モードを設定する（４３）。ここでは、印刷画像が片面１ページ一枚であると、「第２転写ベルト１３による片面転写モード」を設定し、印刷画像が片面複数ページであると、「第１転写ベルト７による片面転写モード」を設定し、両面印刷指定であると、「両面転写モード」を設定する。
【００９４】
そして、給紙カセット２１，２２の用紙サイズと印刷コマンドの画像サイズ情報に基いて給紙カセットおよび必要に応じてプリント出力倍率を定めて、上記ステップ４３で定めた「第２転写ベルト１３による片面転写モード」，「第１転写ベルト７による片面転写モード」又は「両面転写モード」で、１枚の用紙に作像する１プリントプロセスを開始する（４４）。
【００９５】
次にプロセスコントローラ１３１は、プリントコマンドの中の設定枚数の作像を完了していないと、更に同じ条件の１枚の用紙に作像する１プリントプロセスを開始する（４５−４４）。
【００９６】
設定枚数の作像を完了している時には、次ページ画像があると、用紙転写モードを設定して（４３）、１プリントプロセスを開始する（４４）。次ページ画像がないと後処理に進む（４６−４７）。
【００９７】
図６の「他のキーの読取処理」（１２）において、操作ボード２２０が、初期設定キー８０ｄの操作を検知すると、操作ボード２２０がその液晶タッチパネル７９に、図１２に示す初期設定メニュー画面を表示する。このメニュー画面上の「プリンター初期設定」ボタンをクリックすると、操作ボード２２０がその液晶タッチパネル７９に、図１３に示すコピー使用時とプリンター使用時の一方を選択する画面を表示する。ユーザがそれぞれコピー使用時およびプリンター使用時と表示した２行の一方の「実行」をクリックすると、操作ボード２２０が、この入力情報をプロセスコントローラ１３１に転送し、これに応答してプロセスコントローラ１３１が、図９に示す「階調補正パターンの印刷」（ＡｃＳ）を実行する。
【００９８】
すなわちプロセスコントローラ１３１は、プリンタ１００のメインモータを起動して（５１）、プリンタ１００内各部を画像形成を開始できる適正状態とするための前処理を開始する（５２）。そして、「第２転写ベルト１３による片面転写モード」を設定し（５３）、ＨＤＤから、自動階調補正（Ａｕｔｏｍａｔｉｃ  Ｃｏｌｏｒ  Ｃａｌｉｂｒａｔｉｏｎ）用（コピー使用対応のもの又はプリンター使用態様のもの：図１３に示す入力画面で選択されたもの）のカラー基準パターンＡｃＰ（図１４）の画像データを読み出して印刷する（５４）。そして後処理を開始する（５５）。このときカラー基準パターンＡｃＰは、作像ユニットａ，ｂ，ｃ，ｄに書き込まれ、現像されたあとに第１転写ベルト７に転写され、次いでそのまま第２転写ベルト１３に転写され、第２転写ベルト１３が１周してから、レジストローラ３３から送られてくる用紙に転写した後に、排紙スタック２６上に排出される。排出した用紙は、カラー基準パターンＡｃＰを転写した用紙面を上面とした上向き姿勢であるので、カラー基準パターンＡｃＰをただちに視認できる。
【００９９】
なお、図１４に示すカラー基準パターンＡｃＰは、Ｋ（黒）を最高濃度から白（背地）まで連続に表わすＫパッチＫｐ１，Ｋｐ２、Ｃ（シアン）を最高濃度から白（背地）まで連続に表わすＣパッチＣｐ１，Ｃｐ２、Ｍ（マゼンタ）を最高濃度から白（背地）まで連続に表わすＭパッチＭｐ１，Ｍｐ２、および、Ｙ（イエロー）を最高濃度から白（背地）まで連続に表わすＹパッチＹｐ１，Ｙｐ２を等ピッチで並べたものである。なお、基準パターンが印刷された用紙には、正しい方向でスキャナ２１０のコンタクトガラス２３１上にセットする必要があるため、セット方向を示す矢印マークも併せて印刷される。
【０１００】
ユーザは印刷されたパターンＡｃＰを、矢印マークに従った所定の向きでスキャナ２１０のコンタクトガラス２３１上にセットする。そしてユーザが、パターンＡｃＰの出力に連動して切換った、液晶タッチパネル７９の自動階調補正入力画面に表示されたＡｃｃ実行キーを押下すると、プロセスコントローラ１３１が、スキャナ２１０で、このパターンを読み取らせる。読取った画像はＩＰＰで、ＨＤＤにある基準パターンと比較される。ＩＰＰがその差分を算定して最適な画像読み取り設定値を求め、読み取り補正データを算出して保存する。
【０１０１】
図１２に示す初期設定メニュー画面上の「カウンター」ボタンをクリックすると、操作ボード２２０がその液晶タッチパネル７９に、「カウンタ確認シートを印刷します。」という報知文を表示する。その画面上の「実行」をユーザがクリックすると、操作ボード２２０が、この入力情報をプロセスコントローラ１３１に転送し、これに応答してプロセスコントローラ１３１が、図１０に示す「カウンタ値一覧印刷」（Ｃａｃ）を実行する。
【０１０２】
すなわちプロセスコントローラ１３１は、プリンタ１００のメインモータを起動して（６１）、プリンタ１００内各部を画像形成を開始できる適正状態とするための前処理を開始する（６２）。そして、「第２転写ベルト１３による片面転写モード」を設定し（６３）、ＨＤＤにあるカウンタ値一覧画像に、現在の作像回数積算値を表すカウンター値の画像を合成したカウンタ確認画像ＣａＰを生成して印刷する（６４）。そして後処理を開始する（６５）。このとき合成画像であるカウンタ確認画像ＣａＰは、作像ユニットａ，ｂ，ｃ，ｄに書き込まれ、現像されたあとに第１転写ベルト７に転写され、次いでそのまま第２転写ベルト１３に転写され、第２転写ベルト１３が１周してから、レジストローラ３３から送られてくる用紙に転写した後に、排紙スタック２６上に排出される。排出した用紙は、カウンタ確認画像ＣａＰを転写した用紙面を上面とした上向き姿勢であるので、カウンタ確認画像ＣａＰをただちに視認できる。
【０１０３】
カウンタ確認画像を印刷した用紙すなわちカウンタ確認シートＣａＰは、料金支払い計算のために、出力されたシートをＦＡＸで販売会社あるいはメンテナンス店等へ送信するためのものである。図１５にカウンタ確認シートＣａＰ上の情報を示す。通常これは１枚だけであり、印刷面に送信すべきＦＡＸ番号等が印刷されている。
【０１０４】
また、消耗品の発注や故障時の問い合わせ先が印刷された問合せ情報シートＳａＰ（図１６）も、ユーザが操作ボード２２０の液晶タッチパネル７９に表示された「問い合わせ情報」キーをクリックすることにより、プロセスコントローラ１３１が図１１に示す「機械内部情報印刷」（Ｍｃｄ）を実行して、カウンタ確認シートＣａＰの出力と同様にプリントアウトして、印刷面を上面にして排紙スタック２６上に出力する。
【０１０５】
【発明の効果】
所定態様の片面印刷のときには、印刷済の記録媒体が、画像面を上にして排紙面（２６）に排出されるので、出力された印刷物の内容を記録媒体を裏返すことなくそのまますぐに確認できるため、利便性が高い。
【図面の簡単な説明】
【図１】本発明の１実施例の、複合画像処理機能があるフルカラー複写機の外観を示す正面図である。
【図２】図１に示すカラープリンタ１００の拡大縦断面図である。
【図３】図１に示すカラースキャナ２１０およびＡＤＦ２３０の拡大縦断面図である。
【図４】図１に示す複写機内の、画像処理システムの構成を示すブロック図である。
【図５】図１に示す操作ボード２２０の一部の拡大平面図である。
【図６】図４に示すシステムコントローラ３１ａとプロセスコントローラ１３１によって実行される、画像処理システム制御の概要を示すフローチャートである。
【図７】図６に示す「コピー出力処理」１４の中の、プロセスコントローラ１３１が実施する、主に用紙への画像転写モードの制御を示すフローチャートである。
【図８】図６に示す「Ｐ出力処理」１５の中の、プロセスコントローラ１３１が実施する、主に用紙への画像転写モードの制御を示すフローチャートである。
【図９】基準パターンの印刷が指示されたときにプロセスコントローラ１３１が実施する、階調補正パターンの印刷（ＡｃＳ）の内容を示すフローチャートである。
【図１０】カウンタ確認シートの印刷が指示されたときにプロセスコントローラ１３１が実施する、カウンタ値一覧印刷（Ｃａｃ）の内容を示すフローチャートである。
【図１１】問合せ情報シートの印刷が指示されたときにプロセスコントローラ１３１が実施する、機械内部情報印刷（Ｍｃｄ）の内容を示すフローチャートである。
【図１２】初期設定キー８０ｄが操作されたときに操作ボード２２０が液晶タッチパネル７９に表示するメニュー画面を示す平面図である。
【図１３】図１２誌に示すメニュー画面上の「プリンター初期設定」をユーザがクリックしたときに操作ボード２２０が液晶タッチパネル７９に切換表示す入力画面を示す平面図である。
【図１４】図９に示す階調補正パターンの印刷（ＡｃＳ）で印刷する基準パターンシートを示す平面図である。
【図１５】図１０に示すカウンタ値一覧印刷（Ｃａｃ）で印刷するカウンタ確認シートを示す平面図である。
【図１６】図１１に示す機械内部情報印刷（Ｍｃｄ）で印刷する問合せ情報シートＳａＰを示す平面図である。
【符号の説明】
１：感光体      ２：帯電装置
３：現像装置    ４：クリーニング装置
５：除電装置    ６：露光装置
７：第１転写ベルト
８〜１０：ローラ
１１：第１転写手段
１２：クリーニング装置
１３：第２転写ベルト
１４〜１６：回転ローラ
１７：第２転写手段
１８：クリーニング装置
１９：チャージャ
２０：用紙（記録媒体）
２１，２２：給紙カセット
２３：定着器    ２４：排紙ガイド
２５：排紙ローラ
２６：排紙スタック
２７：補給トナー収納部
２８：カートリッジ
２９：フレーム
３０：開閉支軸
３１，３２：給紙ローラ
３３：レジストローラ
【図１】
2005017436.tif 000003
【図２】
2005017436.tif 000004
【図３】
2005017436.tif 000005
【図４】
2005017436.tif 000006
【図５】
2005017436.tif 000007
【図６】
2005017436.tif 000008
【図７】
2005017436.tif 000009
【図８】
2005017436.tif 000010
【図９】
2005017436.tif 000011
【図１０】
2005017436.tif 000012
【図１１】
2005017436.tif 000013
【図１２】
2005017436.tif 000014
【図１３】
2005017436.tif 000015
【図１４】
2005017436.tif 000016
【図１５】
2005017436.tif 000017
【図１６】
2005017436.tif 000018